(57)【要約】【課題】データセンタ等に設置されるラックシステムのケーブル保持装置に関し、特に配線保持装置をデバイスの下に設置することによって、配線の垂れ下がりや配線の外れを防止するケーブル保持装置を提供する。【解決手段】多数のネットワーク機器１５ａ〜１５ｎが収納されたラックシステム１に使用されるケーブル保持装置１７であって、第１のネットワーク機器と第２のネットワーク機器との間隙に配設することができ前記第１、第２のネットワーク機器先端より所定長前面に突出して配設されるものであって、前記ケーブル保持装置は配線されたケーブルを水平方向に保持可能なケーブル保持部を有し、前記ケーブル保持部は前記ネットワーク機器の底面と略同じ高さに配設可能なものであって、前記ケーブル保持部には保持されたケーブルを固定するための開口が形成されていることを特徴とするケーブル保持手段とを有する。【選択図】  図３
0003176591.tif 000002
【実用新案登録請求の範囲】
【請求項１】
長方形の正面に複数の端子が設けられたネットワーク機器を横向きにして上下方向に複数収納するラックに使用されるケーブル保持トレイであって、
ラックに取り付けた状態でネットワーク機器の正面の長辺下縁に略沿って配置され且つ正面の前方に突出するケーブル保持部と、
を含むことを特徴とするケーブル保持トレイ。
【請求項２】
長方形の正面に複数の端子が設けられたネットワーク機器を横向きにして上下方向に複数収納するラックに使用されるケーブル保持トレイであって、
ラックに取り付けた状態で、一のネットワーク機器とその直下の他のネットワーク機器との間に位置し且つ正面の前方に突出するケーブル保持部と、
を含むことを特徴とするケーブル保持トレイ。
【請求項３】
長方形の正面に複数の端子が設けられたネットワーク機器を横向きにして上下方向に複数収納するラックに使用されるケーブル保持トレイであって、
ラックに取り付けた状態でネットワーク機器の正面に設けた端子の下側で且つ正面の前方に突出するケーブル保持部と、
を含むことを特徴とするケーブル保持トレイ。
【請求項４】
最近接配置した上側の第１ネットワーク機器と下側の第２ネットワーク機器との間隙で且つ前記第１ネットワーク機器及び第２ネットワーク機器の先端より所定長前方に突出すると共に、前記第１ネットワーク機器の底面と略同じ高さに配置されるケーブル保持部と、を備えたことを特徴とするケーブル保持トレイ。
【請求項５】
複数のネットワーク機器が収納されるラックに使用されるケーブル保持トレイであって、前記ネットワーク機器の先端より所定長前方に突出し且つ前記ネットワーク機器の正面の端子と略同じ高さに配置されるケーブル保持部と、を備えたことを特徴とするケーブル保持トレイ。
【請求項６】
更に、前記ケーブル保持部の前方端縁近傍に開口を形成したことを特徴とする請求項１〜５のいずれか一つに記載のケーブル保持トレイ。
【請求項７】
前記ケーブル保持部は、ネットワーク機器の正面の前方に突出する短冊形状の板状部分を有し、
更に、前記ケーブル保持部の両側から直角かつ上側に且つラックに取り付けた際に前記端子が正面方向に露出するように設けた取付部を有していることを特徴とする請求項１〜６のいずれか一つに記載のケーブル保持トレイ。
【請求項８】
複数のネットワーク機器が収納されたラックに使用されるケーブル保持トレイであって、
前記第１、第２のネットワーク機器間に配設され、且つ、第１のネットワーク機器と第２のネットワーク機器を接続するパッチケーブルの垂れ下りを保持するケーブル保持部を有し、当該ケーブル保持部の両側から直角かつ上側に取付部を設けたことを特徴とするケーブル保持トレイ。
【請求項９】
前記ケーブル保持部は、前記第１、第２のネットワーク機器の先端より、所定長前面に突出して配設されていることを特徴とする請求項８に記載のケーブル保持トレイ。
【請求項１０】
前記ケーブル保持部には、該ケーブル保持部上に保持されたケーブルを固定するための開口が形成されていることを特徴とする請求項８、又は９に記載のケーブル保持トレイ。
【考案の詳細な説明】
【技術分野】
【０００１】
本考案は、データセンタ等に設置されるラック内で使用される配線を保持するケーブル保持トレイに関するものである。
【背景技術】
【０００２】
近年、インターネットや専用回線等のネットワークを利用した各種システムが構築され、そのサーバやデータベースをデータセンタに設置するシステムが実現している。このようなデータセンタでは多くのラックを設置し、スペースを分割して顧客に使用させている。
【０００３】
かかる場合、ラック内に設置された機器間を効率よく接続する必要がある。また、各機器間を接続する配線処理も整然と行う必要があり、結束線や既存のケーブルガイド等を利用した配線処理が行われている。
【０００４】
特許文献１はデータセンタに使用されるハウジングラックに関する考案であり、ハウジングラックを高さ方向に複数の収容部に分割し、各収容部ごとに扉を設け、１つのラックを複数の顧客に利用させる考案である。
【０００５】
また、特許文献２は通信機器収納キャビネットに収納される各種機器のケーブルを保持するためのケーブルホルダーに関する考案であり、ケーブルホルダーは、例えば支柱に固定するための螺子固定部と、支柱に当接する回り止め部と、ケーブルを支持するためのケーブル保持部と、ケーブルを挿入するためのケーブル挿入口とを有する。
【０００６】
さらに、特許文献３は、振り分けダクトにケーブルを収納する機能を設けることによりケーブルの集線および接続作業の合理化を実現できる情報配線ラック用配線収納ケースに関する考案であり、情報配線ラック用配線収納ケースは、ケース本体にその先端開口端に沿って一定間隔毎にケーブルガイド溝部が設けられ、かつ上記先端開口端に着脱自在とした蓋部が設けられるケーブルガイド部と、該ケーブルガイド部と連通状に形成されるケーブル収納部とから構成される。
【先行技術文献】
【特許文献】
【０００７】
【特許文献１】特開２００３−０２３２７９号公報
【特許文献２】特開２００１−２２３４８４号公報
【特許文献３】特開２００１−３４５５８３号公報
【考案の概要】
【考案が解決しようとする課題】
【０００８】
しかしながら、上記特許文献１のハウジングラックでは、顧客は分割されたラックを低料金で利用することができるが、ケーブルの配線処理等については考慮されていない。また、上記特許文献２のケーブルホルダーでは、支柱にケーブルを固定するだけであり、特に今日のスペースの有効利用を図るべく、スペースを必要とする既存のケーブルホルダーを使用しない場合には多くの問題が発生する。
【０００９】
すなわち、ラック内に設置された機器の前面に余ったケーブルが垂れ下がる場合、機器の前面に配設された接続端子への配線が困難になる。また、多数のケーブルをラック内の側面で処理する場合、ケーブルが垂れ下がり、大きな負荷となり、接続端子からケーブルが外れる原因となる。この考案は、これらの課題を解決するためになされたものである。
【課題を解決するための手段】
【００１０】
この考案のケーブル保持トレイは、長方形の正面に複数の端子が設けられたネットワーク機器を横向きにして上下方向に複数収納するラックに使用されるケーブル保持トレイであって、ラックに取り付けた状態でネットワーク機器の正面の長辺下縁に略沿って配置され且つ正面の前方に突出するケーブル保持部と、を含むことを特徴とする。
【００１１】
この考案によれば、ネットワーク機器の端子にケーブルを接続した場合、ケーブルを正面の長辺下縁に沿って配置したケーブル保持部により保持できるので、当該ケーブルがネットワーク機器の下に垂れ下がらず、下に収納した他のネットワーク機器へのケーブルの接続の邪魔にならない。また、当該ケーブルの自重により接続が外れることを防止できると共に前記端子及びケーブルに負担がかからない。更に、ケーブル保持部を正面の長辺下縁に沿って配置することで、ネットワーク機器とネットワーク機器とを上下方向に詰めて収納できるので、ラックの収納効率が向上する。
【００１２】
また、この考案のケーブル保持トレイは、長方形の正面に複数の端子が設けられたネットワーク機器を横向きにして上下方向に複数収納するラックに使用されるケーブル保持トレイであって、ラックに取り付けた状態で、一のネットワーク機器とその直下の他のネットワーク機器との間に位置し且つ正面の前方に突出するケーブル保持部とを含むことを特徴とする。
【００１３】
この考案によれば、ケーブル保持部が、一のネットワーク機器とその直下の他のネットワーク機器との間に位置するので、ネットワーク機器とネットワーク機器とを上下方向に詰めて収納できる。このため、ラックの収納効率が向上する。また、ネットワーク機器の端子にケーブルを接続した場合でも、当該ネットワーク機器の下にケーブルが垂れ下がらないので、当該ケーブルが下に収納した他のネットワーク機器へのケーブルの接続の邪魔にならない。更に、当該ケーブルの自重により接続が外れることを防止できると共に前記端子及びケーブルに負担がかからない。
【００１４】
また、この考案のケーブル保持トレイは、長方形の正面に複数の端子が設けられたネットワーク機器を横向きにして上下方向に複数収納するラックに使用されるケーブル保持トレイであって、ラックに取り付けた状態でネットワーク機器の正面に設けた端子の下側で且つ正面の前方に突出するケーブル保持部とを含むことを特徴とする。
【００１５】
この考案によれば、端子の下側にケーブル保持部を配置することで、当該端子に接続したケーブルを端子の下側で保持し、当該ケーブルの自重により接続が外れることを防止でき、端子及びケーブルに負担がかからない。また、ネットワーク機器とネットワーク機器とを上下方向に詰めて収納できるので、ラックの収納効率が向上する。
【００１６】
また、この考案のケーブル保持トレイは、最近接配置した上側の第１ネットワーク機器と下側の第２ネットワーク機器との間隙で且つ前記第１ネットワーク機器及び第２ネットワーク機器の先端より所定長前方に突出すると共に、前記第１ネットワーク機器の底面と略同じ高さに配置されるケーブル保持部とを備えたことを特徴とする。
【００１７】
この考案によれば、第１ネットワーク機器の端子にケーブルを接続した場合、ケーブルを第１ネットワーク機器の底面と略同じ高さに配置したケーブル保持部により保持できるので、当該第１ネットワーク機器の下に垂れ下がらず、当該ケーブルが下側の第２ネットワーク機器へのケーブルの接続の邪魔にならない。また、当該ケーブルの自重により接続が外れることを防止できると共に前記端子及びケーブルに負担がかからない。更に、ケーブル保持部を第１ネットワーク機器の底面と略同じ高さに配置することで、第１ネットワーク機器と第２ネットワーク機器とを上下方向に最近接配置できることになり、ラックの収納効率が向上する。
【００１８】
また、この考案のケーブル保持トレイは、複数のネットワーク機器が収納されるラックに使用されるケーブル保持トレイであって、前記ネットワーク機器の先端より所定長前方に突出し且つ前記ネットワーク機器の正面の端子と略同じ高さに配置されるケーブル保持部とを備えたことを特徴とする。
【００１９】
この考案によれば、ケーブル保持部が、ネットワーク機器の正面の端子と略同じ高さに配設されるので、ケーブルを端子と当該ケーブル保持部との間で殆ど高低差なく保持できる。このため当該ケーブルの自重により接続が外れることを防止できる。また、端子及びケーブルに負担がかからない。また、ネットワーク機器とネットワーク機器とを上下方向に詰めて収納できるので、ラックの収納効率が向上する。
【００２０】
また、この考案のケーブル保持トレイは、上記考案において、前記ケーブル保持部の前方端縁近傍に開口を形成したことを特徴とする。当該開口によりケーブルを結束でき且つドアを閉めた状態でのラック内の熱の循環効率を向上できる。
【００２１】
また、この考案のケーブル保持トレイは、上記考案において、前記ケーブル保持部は、ネットワーク機器の正面の前方に突出する短冊形状の板状部分を有し、更に、前記ケーブル保持部の両側から直角かつ上側に且つラックに取り付けた際に前記端子が正面方向に露出するように設けた取付部を有していることを特徴とする。
【００２２】
取付部が短冊形状の板状部分を有するケーブル保持部の両側から直角かつ上側に設けられているので、取付部をラックに取り付けた際、端子が正面方向に露出する。このため、端子に対してケーブルを接続し易い。
【００２３】
また、この考案のケーブル保持トレイは、複数のネットワーク機器が収納されたラックに使用されるケーブル保持トレイであって、前記第１、第２のネットワーク機器間に配設され、且つ、第１のネットワーク機器と第２のネットワーク機器を接続するパッチケーブルの垂れ下りを保持するケーブル保持部を有し、当該ケーブル保持部の両側から直角かつ上側に取付部を設けたことを特徴とする。
【００２４】
また、この考案のケーブル保持トレイは、上記考案において、前記ケーブル保持部は、前記第１、第２のネットワーク機器の先端より、所定長前面に突出して配設されていることを特徴とする。また、前記ケーブル保持部には、該ケーブル保持部上に保持されたケーブルを固定するための開口が形成されていることを特徴とする。
【図面の簡単な説明】
【００２５】
【図１】本実施形態を説明するラックシステムのシステム構成図である。
【図２】ラックの正面図である。
【図３】ラックの正面の扉を開放した状態を示す図である。
【図４】ケーブル保持トレイの平面図である。
【図５】ケーブル保持トレイの正面図である。
【図６】ケーブル保持トレイの側面図である。
【図７】ケーブル保持手段の取り付けを説明する図である。
【考案を実施するための形態】
【００２６】
以下、図面を参照しながら本考案の実施の形態について説明する。図１は、本実施形態のケーブル保持装置が配設されたラックのシステム構成図である。同図に示すラックは不図示のデータセンタに配設され、データセンタには同図に示す構成のラック（ラックシステム）が多数配設されている。同図に示す各ラック１〜４は同じ構造であり、例えばアンカーを使用してフロア（床）５に固定されている。尚、上記ラック１〜４はデータセンタに設置されたラックの一部を代表して示すものであり、データセンタには同じ構造のラックが多数配設されている。
【００２７】
図２は上記ラック１〜４の中で、代表してラック１の正面図を示す。尚、他のラック２〜４についても同じ構造である。ラック１の正面にはドア７が設けられ、ドア７は不図示の支軸を中心に回動自在に構成され、例えば電磁ロックを解除し、ノブ８を握持し、手前に引くことによってラック１を開放することができる。
【００２８】
また、上記ドア７にはパンチング加工が施され、外気をラック内に取り入れることが可能な構成である。尚、パンチング開口のサイズや形状はラック１の発熱量を考慮して設定されている。
さらに、ラック１の上部には放熱ファン１０が取り付けられ、ラック１内に設置された機器から発生する熱を、パンチング開口から流入した外気によって冷やし、放熱ファン１０によって外部に逃がす構造である。
【００２９】
図３はラック１の正面のドア７を開放した状態を示す図であり、ラック１の内側には、左側面にマウントアングル１２ａ、１２ｂが取り付けられ、右側面にマウントアングル１３ａ、１３ｂが取り付けられている。但し、図３において、右側のマウントアングル１３ｂは奥の見えない位置であり、同図に符号で示していない。
また、マウントアングル１２ａ、１２ｂ、１３ａ、１３ｂは、不図示のブラケットを使用してラック１の筐体に取り付けられている。また、ラック１内の側面には電源供給や不図示のパーソナルコンピュータ（ＰＣ）に接続するケーブルが配線され、例えば所定間隔でバインディングされている。
【００３０】
ラック１内には所定間隔で、ネットワーク機器１５ａ、１５ｂ、・・・が配設されている。例えば、パーソナルコンピュータ（ＰＣ）等の機器を接続するための集線装置であるハブ（ＨＵＢ）やパッチパネル等の機器が配設されている。本例においては、同図に示すネットワーク機器１５ａはハブであり、ネットワーク機器１５ｂはパッチパネルであるものとする。
【００３１】
パッチケーブル１６はハブ１５ａとパッチパネル１５ｂを接続し、またハブ１５ａと他のネットワーク機器１５ｃ、１５ｄ、・・・、又他のネットワーク機器１５ｃ、１５ｄ、・・・間も同様にパッチケーブル１６によって接続されている。具体的には、ハブ１５ａの正面に配設された端子１８とパッチパネル１５ｂの正面に配設された対応する端子１９が、パッチケーブル１６によって接続され、他のネットワーク機器１５ａ、１５ｂ、・・・についても、同様にそれぞれのネットワーク機器に配設された端子にケーブルが接続されている。
【００３２】
一方、ハブ１５ａとパッチパネル１５ｂ間にはケーブル保持部材である、ケーブル保持トレイ１７が取り付けられている。また、パッチパネル１５ｂとネットワーク機器１５ｃ間、ネットワーク機器１５ｃと１５ｄ間、及びネットワーク機器１５ｆの下にもケーブル保持トレイ１７が取り付けられている。尚、ケーブル保持トレイ１７を何れの位置に取り付けるかはユーザが任意に設定することができる。
【００３３】
図４はケーブル保持トレイ１７の平面図であり、図５はその正面図であり、図６はその側面図である。上記図４〜図６において、ケーブル保持トレイ１７はケーブル保持部２０と、左右の取付部２１ａ、２１ｂで構成され、ケーブル保持部２０には複数の開口２２が形成されている。ケーブル保持トレイ１７は、例えば樹脂、又は金属、又はアクリルで構成され、厚さは２ｍｍ程度である。また、ケーブル保持トレイ１７の幅は、例えば４８０ｍｍであり、奥行きは５０ｍｍで構成されている。
【００３４】
また、ケーブル保持部２０に形成された複数の開口２２は、パッチケーブル１６を結束するためであり、本実施形態では６個の開口２２が形成されている。また、開口２２の大きさは、例えば３０×６ｍｍであり、等間隔にケーブル保持部２０に形成されている。
一方、取付部２１ａ、２１ｂには、それぞれ２個の穴が形成され、ケーブル保持トレイ１７をマウントアングル１２ａ、１２ｂ、１３ａ、１３ｂに取り付ける際、使用される螺子穴２３ａ、２３ｂである。
【００３５】
ケーブル保持トレイ１７の取り付けは、ネットワーク機器（例えば、上記ハブ１５ａ）の取り付けと同時に行われ、ネットワーク機器に設けられた同様の螺子穴と本例の取付部２１ａ、２１ｂの螺子穴２３ａ、２３ｂを嵌合させ、ネットワーク機器と本例のケーブル保持トレイ１７を一体でマウントアングル１２ａ、１２ｂ、１３ａ、１３ｂに取り付ける。
【００３６】
図７はハブ１５ａとパッチパネル１５ｂ間に上記ケーブル保持トレイ１７を取り付けた例を示し、ケーブル保持トレイ１７の螺子穴２３ａ、２３ｂと不図示のハブ１５ａに設けられた螺子穴を嵌合させ、ハブ１５ａと本例のケーブル保持トレイ１７を一体でマウントアングル１２ａ、１２ｂ、１３ａ、１３ｂに取り付けている。
【００３７】
上記のように取り付けることにより、例えば図３に示すハブ１５ａとパッチパネル１５ｂ間にケーブル保持トレイ１７を容易に設置することができる。
【００３８】
このように構成することによって、ハブ１５ａに接続されたパッチケーブル１６はケーブル保持トレイ１７のケーブル保持部２０に沿って配線され、ハブ１５ａの下に配設されたパッチパネル１５ｂの前面に垂れ下がることがない。したがって、パッチパネル１５ｂの前面に配設された多数の端子にケーブル１６を接続する際、邪魔になることなく、容易にパッチケーブル１６の接続を行なうことができる。
【００３９】
また、パッチケーブル１６はケーブル保持部２０上に保持されるため、従来のようにラック７の側部に長く垂れ下がることがなく、パッチケーブル１６の重さによってハブ１５ａやパッチパネル１５ｂの端子１８、１９からパッチケーブル１６が外れる心配もない。
また、ケーブル保持部２０上に保持されたケーブルは前述の開口２２を利用して、例えば結束され、ケーブルの保持を確実にすることができる。
【００４０】
尚、上記説明ではケーブル保持トレイ１７の材質として、例えば樹脂、又は金属、又はアクリルで構成するものと説明したが、上記材質に限定されるものではない。また、ケーブル保持トレイ１７の形状として、厚さは２ｍｍ、幅４８０ｍｍ、奥行き５０ｍｍとして説明したが、上記数値に限定されるものではない。
【００４１】
また、ケーブル保持トレイ１７に形成された開口２２についても、上記説明では３０×６ｍｍとして説明したが、上記数値に限定されるものではない。
【００４２】
さらに、実施段階ではその要旨を逸脱しない範囲で構成要素を変形して具体化できる。また、本考案は、前述した実施形態に開示されている複数の構成要素の適宜な組み合わせにより、種々の考案をなすことができる。例えば、本考案は実施形態に示される全構成要素から幾つかの構成要素を削除しても良い。
【符号の説明】
【００４３】
１、２，３、４・・ラック
５・・・床
７・・・ドア
８・・・ノブ
１０・・放熱ファン
１２ａ、１２ｂ・・マウントアングル
１５ａ・・ハブ
１５ｂ・・パッチパネル
１５ｃ・・他のパッチパネル
１６・・パッチケーブル
１７・・ケーブル保持トレイ
１８・・端子
１９・・端子
２０・・ケーブル保持部
２１ａ、２１ｂ・・取付部
２２・・開口
２３ａ、２３ｂ・・螺子穴
【図１】
0003176591.tif 000003
【図２】
0003176591.tif 000004
【図３】
0003176591.tif 000005
【図４】
0003176591.tif 000006
【図５】
0003176591.tif 000007
【図６】
0003176591.tif 000008
【図７】
0003176591.tif 000009